(57)【要約】【課題】料金所手前のエリアにおいても自動運転を解除することなく、自車両を適切に料金所ゲートまで誘導することができる車両の走行制御装置を提供する。【解決手段】走行制御部１０は、地図データ上の前方設定距離以内に自車両が通過すべき料金所が検出されているとき自動運転制御のモードとして料金所通過モードを実行し、周辺環境認識装置１１によって料金所５０の料金所ゲート５０ａが認識されたとき当該料金所ゲート５０ａまでの自車通過経路を設定し、自車両の運転制御を行う。この料金所通過モードの実行時において、自車通過経路に沿って走行する先行車に追従する場合には、追従走行制御の目標車間距離Ｄtrgを、料金所通過モードの実行時以外における目標車間距離Ｄtrgよりも相対的に長く設定する。【選択図】図１
2018083539.tif 000002
【特許請求の範囲】
【請求項１】
自車両が走行する走行環境情報を取得すると共に、自車両の走行情報を検出し、前記走行環境情報と前記走行情報に基づいて複数の運転制御を協調させた自動運転制御を実行する車両の走行制御装置において、
自車両の前方に存在する立体物情報を含む走行環境情報を前記走行環境情報として認識する周辺環境認識手段と、
予め記憶されている地図データ上の自車位置情報を前記走行環境情報として検出する自車位置情報検出手段と、
前記自車位置情報検出手段によって前記地図データ上の前方設定距離以内に自車両が通過すべき料金所が検出されているとき、前記自動運転制御のモードとして料金所通過モードを実行する料金所通過モード実行手段と、
前記料金所通過モードの実行時に、前記料金所までの自車通過経路を設定する自車通過経路設定手段と、
前記料金所通過モードの実行時に、前記周辺環境認識手段によって前記自車通過経路に沿って走行する先行車が検出されているとき前記先行車に追従する追従走行制御を行い、前記周辺環境認識手段によって前記自車通過経路に沿って走行する先行車が検出されていないとき前記自車通過経路に沿った走行制御を行う料金所通過時走行制御手段と、を備え、
前記料金所通過時走行制御手段は、前記料金所通過モードの実行時における前記追従走行制御の目標車間距離を、前記料金所通過モードの実行時以外における前記目標車間距離よりも相対的に長く設定することを特徴とする車両の走行制御装置。
【請求項２】
前記料金所通過時走行制御手段は、前記料金所通過モードの実行時における前記走行環境情報に対する制御応答性を、前記料金所通過モードの実行時以外における前記走行環境情報に対する制御応答性よりも高く設定することを特徴とする請求項１に記載の車両の走行制御装置。
【発明の詳細な説明】
【技術分野】
【０００１】
本発明は、走行環境を認識し、自車両の走行情報を検出して自動運転制御を行う車両の走行制御装置に関する。
【背景技術】
【０００２】
近年、車両においては、走行環境を認識し、自車両の走行情報を検出して操舵制御や加減速制御を協調して実行し、自動運転を行えるようにした様々な技術が提案、実用化されている。例えば、特開２０１５−２４７４６号公報（以下、特許文献１）には、一般道から高速道路の本線合流地点に至るランプウェイ経路において、アクセルやブレーキの加減速制御を、操作制御に対して先行して、手動運転モードから自動運転モードに切り替え、ドライバに違和感を与えることを抑制する自動運転制御装置の技術が開示されている。
【先行技術文献】
【特許文献】
【０００３】
【特許文献１】特開２０１５−２４７４６号公報
【発明の概要】
【発明が解決しようとする課題】
【０００４】
ところで、上述の特許文献１に開示されるような自動運転制御装置の技術では、自動運転の継続が困難と判断される場合には、できるだけ速やか、かつ安全に、ドライバへ運転を引き継ぐ必要がある。
【０００５】
その一方で、自動運転の継続が困難と判断される場合にも、走行環境や自車両の走行情報により、様々なケースが存在し、必ずしも全ての運転制御を解除して自動運転を手動運転に移行する必要がない場合もある。
【０００６】
例えば、高速道路等の各種有料道路の料金所においては、車線数よりも多い複数の料金所ゲートが設置されることが一般的であり、このような料金所の手前のエリアでは、道路幅が急激に拡幅し、車線区画線も消失する。従って、料金所手前のエリアでは、車載カメラ等の情報に基づいて自車走行レーンを認識することが困難となり、運転モードが自動運転から手動運転へと移行することが想定される。
【０００７】
しかしながら、料金所手前のエリアにおける車線区画線の消失等は予め想定され得るため、このようなケースに対して自動運転を継続するための対策を行うことが望ましい。
【０００８】
その一方で、料金所前のエリアでは前方の距離感を把握することが困難であるため、先行車等の周辺車両が想定外の挙動を示す場合があり、自動運転を継続するためには、このような周辺車両の挙動に対しても対策を施す必要がある。
【０００９】
本発明は上記事情に鑑みてなされたもので、料金所手前のエリアにおいても自動運転を解除することなく、自車両を適切に料金所ゲートまで誘導することができる車両の走行制御装置を提供することを目的とする。
【課題を解決するための手段】
【００１０】
本発明の一態様による車両の走行制御装置は、自車両が走行する走行環境情報を取得すると共に、自車両の走行情報を検出し、前記走行環境情報と前記走行情報に基づいて複数の運転制御を協調させた自動運転制御を実行する車両の走行制御装置において、自車両の前方に存在する立体物情報を含む走行環境情報を前記走行環境情報として認識する周辺環境認識手段と、予め記憶されている地図データ上の自車位置情報を前記走行環境情報として検出する自車位置情報検出手段と、前記自車位置情報検出手段によって前記地図データ上の前方設定距離以内に自車両が通過すべき料金所が検出されているとき、前記自動運転制御のモードとして料金所通過モードを実行する料金所通過モード実行手段と、前記料金所通過モードの実行時に、前記料金所までの自車通過経路を設定する自車通過経路設定手段と、前記料金所通過モードの実行時に、前記周辺環境認識手段によって前記自車通過経路に沿って走行する先行車が検出されているとき前記先行車に追従する追従走行制御を行い、前記周辺環境認識手段によって前記自車通過経路に沿って走行する先行車が検出されていないとき前記自車通過経路に沿った走行制御を行う料金所通過時走行制御手段と、を備え、前記料金所通過時走行制御手段は、前記料金所通過モードの実行時における前記追従走行制御の目標車間距離を、前記料金所通過モードの実行時以外における前記目標車間距離よりも相対的に長く設定するものである。
【発明の効果】
【００１１】
本発明の車両の走行制御装置によれば、料金所手前のエリアにおいても自動運転を解除することなく、自車両を適切に料金所ゲートまで誘導することができる。
【図面の簡単な説明】
【００１２】
【図１】車両の走行制御装置の全体構成図
【図２】料金所通過制御ルーチンを示すフローチャート（その１）
【図３】料金所通過制御ルーチンを示すフローチャート（その２）
【図４】先行車車速と目標車間距離との関係を示すマップ
【図５】料金所ゲートまでの距離と目標車速との関係を示すマップ
【図６】自車前方に料金所ゲートが存在するときの画像の一例を示す説明図
【図７】自車前方の料金所ゲートが先行車によって遮られているときの画像の一例を示す説明図
【図８】先行車との目標車間距離変更後の料金所ゲートの画像の一例を示す説明図
【図９】料金所ゲートまでの自車通過経路の一例を示す説明図
【発明を実施するための形態】
【００１３】
以下、図面を参照して本発明の形態を説明する。図面は本発明の一実施形態に係り、図１は車両の走行制御装置の全体構成図、図２，３は料金所通過制御ルーチンを示すフローチャート、図４は先行車車速と目標車間距離との関係を示すマップ、図５は料金所ゲートまでの距離と目標車速との関係を示すマップ、図６は自車前方に料金所ゲートが存在するときの画像の一例を示す説明図、図７は自車前方の料金所ゲートが先行車によって遮られているときの画像の一例を示す説明図、図８は先行車との目標車間距離変更後の料金所ゲートの画像の一例を示す説明図、図９は料金所ゲートまでの自車通過経路の一例を示す説明図である。
【００１４】
図１において、符号１は、車両の走行制御装置を示し、この走行制御装置１には、走行制御部１０に、周辺環境認識装置１１、ドライバ状態検出装置１２、走行パラメータ検出装置１３、自車位置情報検出装置１４、車車間通信装置１５、道路交通情報通信装置１６、スイッチ群１７の各入力装置と、エンジン制御装置２１、ブレーキ制御装置２２、ステアリング制御装置２３、表示装置２４、スピーカ・ブザー２５の各出力装置が接続されている。
【００１５】
周辺環境認識装置１１は、車両の外部環境を撮影して画像情報を取得する車室内に設けた固体撮像素子等を備えたカメラ装置（ステレオカメラ、単眼カメラ、カラーカメラ等）と、車両の周辺に存在する立体物からの反射波を受信するレーダ装置（レーザレーダ、ミリ波レーダ等）、ソナー等（以上、図示せず）で構成されている。
【００１６】
周辺環境認識装置１１は、カメラ装置で撮像した画像情報を基に、例えば、距離情報に対して周知のグルーピング処理を行い、グルーピング処理した距離情報を予め設定しておいた三次元的な道路形状データや立体物データ等を比較することにより、車線区画線データ、道路に沿って存在するガードレール、縁石等の側壁データ、車両（先行車、対向車、並走車、駐車車両）等の立体物データ等を、自車両からの相対的な位置（距離、角度）および速度と共に抽出する。
【００１７】
また、周辺環境認識装置１１は、レーダ装置で取得した反射波情報を基に、反射した立体物の存在する位置（距離、角度）を、速度と共に検出する。このように、周辺環境認識装置１１は、自車両が走行する走行環境情報を取得する走行環境情報取得手段を構成するための、周辺環境認識手段として設けられている。
【００１８】
ドライバ状態検出装置１２は、例えば、特開２０１２−２１９９７９号公報に開示されるような運転席又はハンドルに設けられた心拍数センサで構成され、心拍数センサにより検出された心拍検出信号から心拍数を測定し、この心拍数に基づいてドライバの覚醒度を検出する。このように、本実施の形態では、ドライバ状態検出装置１２は、覚醒度検出手段として設けられている。
【００１９】
走行パラメータ検出装置１３は、自車両の走行情報、具体的には、車速、操舵トルク、ハンドル角、ヨーレート、アクセル開度、スロットル開度、及び走行する路面の路面勾配、路面摩擦係数推定値等を検出する。このように、走行パラメータ検出装置１３は、走行情報検出手段の機能を有して設けられている。
【００２０】
自車位置情報検出装置１４は、例えば、公知のナビゲーションシステムであり、例えば、ＧＰＳ（Global Positioning System：全地球測位システム）衛星から発信された電波を受信し、その電波情報に基づいて現在位置を検出して、フラッシュメモリや、ＣＤ（Compact Disk）、ＤＶＤ（Digital Versatile Disc）、ブルーレイ（Blu-ray：登録商標）ディスク、ＨＤＤ（Hard Disk drive）等の予め記憶しておいた地図データ上に自車位置を特定する。
【００２１】
この予め記憶される地図データとしては、道路データおよび施設データを有している。道路データは、リンクの位置情報、種別情報、ノードの位置情報、種別情報、ノードにおけるカーブ曲率（或いは、カーブ半径）、および、ノードとリンクとの接続関係の情報、すなわち、道路の分岐、合流地点情報と分岐路における最大車速情報等を含んでいる。施設データは、施設毎のレコードを複数有しており、各レコードは、対象とする施設の名称情報、所在位置情報、施設種別（デパート、商店、レストラン、駐車場、公園、車両の故障時の修理拠点の別）情報を示すデータを有している。そして、地図位置上の自車位置を表示して、操作者により目的地が入力されると、出発地から目的地までの経路が所定に演算され、ディスプレイ、モニタ等の表示装置２４に表示され、また、スピーカ・ブザー２５により音声案内として誘導自在になっている。このように、自車位置情報検出装置１４は、走行環境情報取得手段を構成するための、自車位置情報検出手段として設けられている。
【００２２】
車車間通信装置１５は、例えば、無線ＬＡＮなど１００(m)程度の通信エリアを有する狭域無線通信装置で構成され、サーバなどを介さずに他の車両と直接通信を行い、情報の送受信を行うことが可能となっている。そして、他の車両との相互通信により、車両情報、走行情報、交通環境情報等を交換する。車両情報としては、車種（本実施形態では、乗用車、トラック、二輪車等の種別）を示す固有情報がある。また、走行情報としては、車速、位置情報、ブレーキランプの点灯情報、右左折時に発信される方向指示器の点滅情報、緊急停止時に点滅されるハザードランプの点滅情報がある。更に、交通環境情報としては、道路の渋滞情報、工事情報等の状況によって変化する情報が含まれている。このように、車車間通信装置１５は、走行環境情報取得手段を構成するための、車車間通信手段として設けられている。
【００２３】
道路交通情報通信装置１６は、所謂、道路交通情報通信システム（VICS：Vehicle Information and Communication System：登録商標）で、FM多重放送や道路上の発信機から、渋滞や事故、工事、所要時間、駐車場の道路交通情報をリアルタイムに受信し、この受信した交通情報を、上述の予め記憶しておりた地図データ上に表示する装置となっている。このように、道路交通情報通信装置１６は、走行環境情報取得手段を構成するための、道路交通情報通信手段として設けられている。
【００２４】
スイッチ群１７は、ドライバの運転支援制御に係るスイッチ群で、例えば、速度を予め設定しておいた一定速で走行制御させるスイッチ、或いは、先行車との車間距離、車間時間を予め設定しておいた一定値に維持して追従制御させるためのスイッチ、走行車線を設定車線に維持して走行制御するレーンキープ制御のスイッチ、走行車線からの逸脱防止制御を行う車線逸脱防止制御のスイッチ、先行車（追い越し対象車両）の追い越し制御を実行させる追い越し制御実行許可スイッチ、これら全ての制御（総じて操舵制御と加減速制御とに分類される運転制御）を協調して行わせる自動運転制御を実行させるためのスイッチ、これら各制御に必要な車速、車間距離、車間時間、制限速度等を設定するスイッチ、或いは、これら各制御を解除するスイッチ等から構成されている。
【００２５】
エンジン制御装置２１は、例えば、吸入空気量、スロットル開度、エンジン水温、吸気温度、酸素濃度、クランク角、アクセル開度、その他の車両情報に基づき、車両のエンジン（図示せず）についての燃料噴射制御、点火時期制御、電子制御スロットル弁の制御等の主要な制御を行う公知の制御ユニットである。
【００２６】
ブレーキ制御装置２２は、例えば、ブレーキスイッチ、４輪の車輪速、ハンドル角、ヨーレート、その他の車両情報に基づき、４輪のブレーキ装置（図示せず）をドライバのブレーキ操作とは独立して制御可能で、公知のアンチロック・ブレーキ・システム（Antilock Brake System）や、横すべり防止制御等の車両にヨーモーメントを付加するヨーモーメント制御（ヨーブレーキ制御）を行う公知の制御ユニットである。そして、ブレーキ制御装置２２は、走行制御部１０から、各輪のブレーキ力が入力された場合には、該ブレーキ力に基づいて各輪のブレーキ液圧を算出し、ブレーキ駆動部（図示せず）を作動させる。
【００２７】
ステアリング制御装置２３は、例えば、車速、操舵トルク、ハンドル角、ヨーレート、その他の車両情報に基づき、車両の操舵系に設けた電動パワーステアリングモータ（図示せず）によるアシストトルクを制御する、公知の制御装置である。また、ステアリング制御装置２３は、上述の走行車線を設定車線に維持して走行制御するレーンキープ制御、走行車線からの逸脱防止制御を行う車線逸脱防止制御、及び、障害物回避操舵制御が可能となっており、これら操舵制御に必要な操舵角、或いは、操舵トルクが、走行制御部１０により算出されてステアリング制御装置２３に入力され、入力された制御量に応じて電動パワーステアリングモータが駆動制御される。
【００２８】
表示装置２４は、例えば、モニタ、ディスプレイ、アラームランプ等のドライバに対して視覚的な警告、報知を行う装置である。また、スピーカ・ブザー２５は、ドライバに対して視覚的な警告、報知を行う装置である。すなわち、表示装置２４、スピーカ・ブザー２５は報知手段として設けられている。
【００２９】
そして、走行制御部１０は、上述の各装置１１〜１７からの各入力信号に基づいて、障害物等との衝突防止制御、定速走行制御、追従走行制御、レーンキープ制御、車線逸脱防止制御、追い越し制御、障害物回避操舵制御等の操舵制御や加減速制御を協調させて行って自動運転制御等を実行する。
【００３０】
この場合において、走行制御部１０は、自車両の前方に先行車が存在しないとき、自動運転制御に係る車速制御として、ドライバが設定したセット車速Ｖsetを目標車速Ｖtrgとする定速走行制御を行う。すなわち、走行制御部１０は、自車速Ｖ0をセット車速Ｖsetに収束させるための目標加速度ａを算出し、この目標加速度ａに基づき、エンジン制御装置２１に信号出力してスロットル弁の開度をフィードバックし、或いは、ブレーキ制御装置２２に減速信号を出力して自動ブレーキを作動させる。
【００３１】
また、走行制御部１０は、自車両の前方に先行車が存在するとき、自動運転制御に係る車速制御として、先行車との車間距離Ｌを目標車間距離Ｄtrgに収束させるための車速制御を行う。すなわち、走行制御部１０は、例えば、以下の（１）式を用いて目標加速度ａを算出し、この目標加速度ａに基づき、エンジン制御装置２１に信号出力してスロットル弁の開度をフィードバックし、或いは、ブレーキ制御装置２２に減速信号を出力して自動ブレーキを作動させることにより、車間距離Ｌを目標車間距離Ｄtrgに収束させる。
ａ＝ａｆ＋（（Ｖ０−Ｖｆ）２／（Ｌ−Ｄtrg））  …（１）
ここで、（１）式中において、ａｆは先行車の加速度、Ｖ０は自車速度、Ｖｆは先行車速度である。また、目標車間距離Ｄtrgは、例えば、図４に実線で示すように、予め設定されたマップ等を参照して可変設定されるものであり、この目標車間距離Ｄtrgは先行車速度Ｖｆが大きくなるほど大きな値が設定される。
【００３２】
また、走行制御部１０は、例えば、自車位置情報検出装置１４等によって地図データ上の前方設定距離Ｌ０以内に自車両が通過すべき料金所５０が検出されているとき、自動運転制御の制御モードとして料金所通過モードを実行する。
【００３３】
そして、料金所通過モードが実行されると、走行制御部１０は、料金所５０の手前で車線区画線が消失等した場合にも自動運転制御を継続するための経路として、料金所５０までの自車通過経路を設定し、この自車通過経路に従った自車両の運転制御（料金所通過制御）を行う。
【００３４】
具体的には、周辺環境認識装置１１によって料金所５０の料金所ゲート５０ａが認識されたとき（例えば、図６等参照）、走行制御部１０は、認識した料金所ゲート５０ａまでの自車通過経路を設定する。すなわち、周辺環境認識装置１１によって、自車前方の料金所５０に複数の料金所ゲート５０ａが認識されると、走行制御部１０は、これらの中から、予め設定された各種条件（例えば、料金所ゲートが「ＥＴＣ専用ゲート」であるか「一般ゲート」であるかの別、料金所通過後の自車両の進行方向、各料金所ゲートの混雑具合等の各種条件）に基づいて自車両が通過すべき料金所ゲート５０ａを選択し、選択した料金所ゲート５０ａまでの経路（例えば、図９中に破線で示す自車通過経路）を設定する。
【００３５】
一方、周辺環境認識装置１１による料金所ゲート５０ａの認識が困難である場合、走行制御部１０は、周辺環境認識装置１１によって料金所ゲート５０ａが認識されるまでの間、例えば、自車位置情報検出装置１４の地図データ等に予め設定されている経路を、仮の経路（自車通過経路）として設定する。
【００３６】
そして、走行制御部１０は、周辺環境認識装置１１等からの情報に基づき、自車走行経路に沿って走行する先行車が存在するか否かを調べ、自車走行経路に沿って走行する先行車が存在する場合には、当該先行車に追従する追従走行制御を行う。その際、走行制御部１０は、先行車に対する目標車間距離Ｄtrg（例えば、図４中の一点鎖線参照）を、料金所通過モードの実行時以外の通常時の目標車間距離Ｄtrg（例えば、図４中の実線参照）よりも相対的に長く設定する。
【００３７】
一方、自車走行経路に沿って走行する先行車が存在しない場合には、走行制御部１０は、自車走行経路に沿った走行制御を行う。その際、走行制御部１０は、例えば、図５中に示すように、目標車速Ｖtrgとして予め設定された値Ｖtrg0を設定し、料金所までの距離Ｌtollが設定距離Ｌth未満となったとき、目標車速Ｖtrgを所定の極定速（例えば、２０Ｋｍ／ｈ以下）まで漸次減少させる。
【００３８】
ここで、例えば、図７に示すように、周辺環境認識装置１１によって料金所ゲート５０ａが認識されておらず、且つ、自車両の前方に先行車５１が認識されている場合、走行制御部１０は、先行車５１に対する目標車間距離Ｄtrgを現在の値よりも大きな値に補正し、先行車５１との車間距離を一時的に離間方向に制御する。
【００３９】
このように、本実施形態において、走行制御部１０は、料金所通過モード実行手段、自車通過経路設定手段、料金所通過時走行制御手段、及び、車間距離離間制御手段としての各機能を実現する。
【００４０】
次に、走行制御部１０において実行される料金所通過制御について、図２，３に示す料金所通過制御ルーチンのフローチャートに従って説明する。このルーチンは、例えば、自動運転制御中に実行される割り込みルーチンであり、ルーチンがスタートすると、走行制御部１０は、先ず、ステップＳ１０１において、自車位置情報検出装置１４からの情報に基づき、地図データ上の前方設定距離以内に、自車両が通過すべく料金所５０が検出されているか否かを調べる。
【００４１】
そして、ステップＳ１０１において、料金所５０が検出されていないと判定した場合、走行制御部１０は、自動運転制御の制御モードとして料金所通過モードを実行することなく、そのままルーチンを抜ける。
【００４２】
一方、ステップＳ１０１において、料金所５０が検出されていると判定した場合、走行制御部１０は、以下の処理によって料金所通過モードを実行すべく、ステップＳ１０２に進む。
【００４３】
ステップＳ１０１からステップＳ１０２に進むと、走行制御部１０は、周辺環境認識装置１１等で認識される走行環境情報に対する制御応答性を通常時よりも高く設定するための変更を行う。
【００４４】
具体的には、走行制御部１０は、例えば、周辺環境認識装置１１等が備えるセンサ類が各種走行環境情報を認識するまでのサンプリング回数が通常時よりも少なくなるよう設定変更を行うことにより、制御応答性を高くする。
【００４５】
また、ステップＳ１０２において、走行制御部１０は、周辺環境認識装置１１によって自車両の前方に先行車が認識されている場合には、当該先行車に対する目標車間距離Ｄtrgを設定する。
【００４６】
具体的には、走行制御部１０は、例えば、図４中に一点鎖線で示すように、予め設定されたマップ等を参照して、先行車速度Ｖｆに応じた目標車間距離Ｄtrgを設定する。この場合、図４からも明らかなように、料金所通過モードの実行時における目標車間距離Ｄtrgは、先行車速度Ｖｆが高くなるほど長く設定される。また、料金所通過モードの実行時における目標車間距離Ｄtrgは、料金所通過モードの実行時以外に同一の先行車速度Ｖｆにおいて設定される目標車間距離Ｄtrg（図４中の実線参照）よりも、相対的に長く設定される。
【００４７】
さらに、ステップＳ１０２において、走行制御部１０は、自車通過経路に沿った走行制御を行うための目標車速Ｖtrgを設定する。
【００４８】
具体的には、走行制御部１０は、例えば、図５に示すように、予め設定されたマップ等を参照して、目標車速Ｖtrgを設定する。この場合、図５からも明らかなように、料金所までの距離Ｌtollが設定距離Ｌth以上である場合には予め設定された固定値Vtrg0を目標車速Vtrgとして設定し、料金所ゲートまでの距離Ｌtollが設定距離Ｌth未満となったとき、目標車速Ｖtrgを所定の極定速（例えば、２０Ｋｍ／ｈ以下）まで漸次減少させる。
【００４９】
ステップＳ１０２からステップＳ１０３に進むと、走行制御部１０は、周辺環境認識装置１１によって認識された料金所ゲート５０ａに基づいて自車通過経路が設定されているか否かを調べる。
【００５０】
そして、ステップＳ１０３において、料金所ゲート５０ａに基づく自車通過経路が設定されていると判定した場合、走行制御部１０はステップＳ１１１に進む。
【００５１】
一方、ステップＳ１１３において、料金所ゲート５０ａに基づく自車通過経路が設定されていないと判定した場合（すなわち、周辺環境認識装置１１によって自車両の前方に料金所ゲート５０ａが認識されていないと判定した場合）、走行制御部１０は、ステップＳ１０４に進む。
【００５２】
ステップＳ１０３からステップＳ１０４に進むと、走行制御部１０は、現在、周辺環境認識装置１１によって料金所ゲート５０ａが認識されているか否かを調べ、自車両の前方に料金所ゲート５０ａが認識されていると判定した場合（例えば、図６参照）、ステップＳ１１０に進む。
【００５３】
一方、ステップＳ１０４において、自車両の前方に料金所ゲート５０ａが認識されていないと判定した場合、走行制御部１０は、ステップＳ１０５に進む。
【００５４】
ステップＳ１０４からステップＳ１０５に進むと、走行制御部１０は、周辺環境認識装置１１によって自車両の前方に先行車が認識されているか否かを調べ、先行車が認識されていないと判定した場合、ステップＳ１０９に進む。
【００５５】
一方、ステップＳ１０５において、先行車５１が認識されていると判定した場合、走行制御部１０は、料金所ゲート５０ａが認識されない原因として、例えば、図７に示すように料金所ゲート５０ａが先行車によって遮蔽されている可能性が高いと判断して、ステップＳ１０６に進む。
【００５６】
ステップＳ１０５からステップＳ１０６に進むと、走行制御部１０は、先行車の車高に応じた目標車間距離Ｄtrgを設定する。すなわち、ステップＳ１０６において、走行制御部１０は、上述のステップＳ１０２において設定された目標車間距離Ｄtrgを、一時的に、先行車の車高に応じた目標車間距離Ｄtrgに設定し直す。
【００５７】
ここで、ステップＳ１０６において一時的に再設定される目標車間距離Ｄtrgは、例えば、追従走行制御において通常設定される目標車間距離Dtrgよりも十分に長い車間距離であり、予め実験等によって設定されたマップ等（図示せず）に基づき、先行車の車高が高くなるほど長くなるよう設定される。
【００５８】
そして、ステップＳ１０６からステップＳ１０７に進むと、走行制御部１０は、ステップＳ１０６において一時的に再設定した目標車間距離Ｄtrgに基づき、先行車５１に対する車間距離制御を行う。
【００５９】
すなわち、走行制御部１０は、ステップＳ１０６で再設定した目標車間距離Ｄtrgを上述の（１）式に代入することにより、先行車５１との車間距離Ｌを目標車間距離Ｄtrgに収束させるための目標加速度（目標減速度）ａを算出し、減速による車間距離制御を行う。
【００６０】
そして、ステップＳ１０８に進むと、走行制御部１０は、先行車５１との車間距離制御によって料金所ゲート５０ａを認識できたか否かを調べ、未だ料金所ゲートを認識できていない場合にはステップＳ１０９に進む。
【００６１】
一方、ステップＳ１０８において、先行車５１との車間距離制御によって料金所ゲート５０ａが認識できたと判定した場合（例えば、図８参照）、走行制御部１０は、ステップＳ１１０に進む。
【００６２】
ステップＳ１０４或いはステップＳ１０８からステップＳ１１０に進むと、走行制御部１０は、現在認識されている料金所ゲート５０ａの中から、予め設定された条件に基づいて自車両が通過すべき料金所ゲート５０ａを選択し、選択した料金所ゲート５０ａまでの自車通過経路を設定する（図９中の破線参照）。
【００６３】
また、ステップＳ１０３或いはステップＳ１１０からステップＳ１１１に進むと、走行制御部１０は、現在選択されている料金所ゲート５０ａに車両を誘導するための誘導線５０ｂが周辺環境認識装置１１によって認識されているか否かを調べ、誘導線５０ｂが認識されていないと判定した場合、ステップＳ１１３に進む。
【００６４】
一方、ステップＳ１１１において、周辺環境認識装置１１によって誘導線５０ｂが認識されていると判定した場合、走行制御部１０は、認識された誘導線５０ｂに基づいて自車通過経路をより緻密に再設定した後、ステップＳ１１３に進む。
【００６５】
また、ステップＳ１０５或いはステップＳ１０８からステップＳ１０９に進むと、走行制御部１０は、周辺環境認識装置１１によって料金所ゲート５０ａが認識されるまでの仮の経路として、例えば、自車位置情報検出装置１４の地図データ等に予め設定されている経路を自車通過経路として設定した後、ステップＳ１１３に進む。
【００６６】
ステップＳ１０９、ステップＳ１１１、或いは、ステップＳ１１２からステップＳ１１３に進むと、走行制御部１０は、現在設定されている自車通過経路と進行方向が一致する先行車が存在するか否かを調べる。
【００６７】
すなわち、ステップＳ１１３において、走行制御部１０は、自車両の前方に先行車が認識されているか否かを調べ、先行車が認識されている場合には、例えば、当該先行車の向き及び横速度から推定される進行方向が自車通過経路に対して所定の誤差範囲内で一致しているか否かを調べる。
【００６８】
そして、ステップＳ１１３において、自車通過経路と進行方向が一致する先行車が存在すると判定した場合、走行制御部１０は、ステップＳ１１４に進み、上述のステップＳ１０２で設定された目標車間距離Ｄtrgに基づいて、先行車に対する追従走行制御を行った後、ステップＳ１０１に戻る。
【００６９】
一方、ステップＳ１１３において、自車両の前方に先行車が認識されていないと判定した場合、或いは、自車両の前方に先行車が認識されているものの当該先行車と自車通過経路とが一致しないと判定した場合、走行制御部１０は、ステップＳ１１５に進み、ステップＳ１０２で設定された目標車速Ｖtrgに基づいて、自車通過経路に沿った走行制御を行った後、ステップＳ１０１に戻る。
【００７０】
このような実施形態によれば、自車位置情報検出装置１４によって地図データ上の前方設定距離以内に自車両が通過すべき料金所が検出されているとき自動運転制御のモードとして料金所通過モードを実行し、この料金所通過モードの実行時に、周辺環境認識装置１１によって料金所５０の料金所ゲート５０ａが認識されたとき当該料金所ゲート５０ａまでの自車通過経路を設定し、設定した自車通過経路に従って自車両の運転制御を行うことにより、料金所の手前においても自動運転を解除することなく、リアルタイムに取得される情報に基づいて自車両を適切に料金所ゲートまで誘導することができる。
【００７１】
この料金所通過モードの実行時において、周辺環境認識装置１１によって料金所ゲート５０ａが認識されておらず且つ自車両の前方に先行車５１が認識されているとき、先行車５１との車間距離を一時的に離間方向に制御することにより、先行車５１が前方を遮蔽することに起因して料金所ゲート５０ａを認識されていない場合にも、速やかに料金所ゲート５０ａを認識することができる。
【００７２】
また、料金所通過モードの実行時に、周辺環境認識装置１１によって料金所ゲート５０ａが認識されるまでの間、自車位置情報検出装置１４の地図データ上に予め設定されている料金所５０までの経路を自車走行経路として設定することにより、料金所ゲート５０ａが認識されるまでの間も、継続的に自動運転制御を行うことができる。
【００７３】
また、このような料金所通過モードの実行時において、周辺環境認識装置１１によって自車通過経路に沿って走行する先行車が検出されている場合には、当該先行車に追従する追従走行制御によって自車通過経路に沿った走行を実現することにより違和感のない走行制御を実現することができる。この場合において、料金所通過モードの実行時における追従走行制御の目標車間距離Ｄtrgを、料金所通過モードの実行時以外における目標車間距離Ｄtrgよりも相対的に長く設定することにより、前方の距離感を把握することが困難な料金所前のエリアにおいて、先行車等の周辺車両が急減速等の想定外の挙動を示した場合にも安全性の高い走行制御を実現することができる。
【００７４】
さらに、両期初通過モードの実行時には、走行環境情報に対する制御応答性を、料金所通過モードの実行時以外よりも高く設定することにより、より安全性の高い走行制御を実現することができる。
【００７５】
なお、本発明は、以上説明した各実施形態に限定されることなく、種々の変形や変更が可能であり、それらも本発明の技術的範囲内である。
【符号の説明】
【００７６】
１  …  走行制御装置
１０  …  走行制御部
１１  …  周辺環境認識装置（周辺環境認識手段（走行環境情報取得手段））
１２  …  ドライバ状態検出装置（覚醒度検出手段）
１３  …  走行パラメータ検出装置（走行情報検出手段）
１４  …  自車位置情報検出装置（自車位置情報検出手段（走行環境情報取得手段））
１５  …  車車間通信装置（車車間通信手段（走行環境情報取得手段））
１６  …  道路交通情報通信装置（道路交通情報取得手段（走行環境情報取得手段））
１７  …  スイッチ群
２１  …  エンジン制御装置
２２  …  ブレーキ制御装置
２３  …  ステアリング制御装置
２４  …  表示装置
２５  …  スピーカ・ブザー
５０  …  料金所
５０  …  誘導線
５０  …  料金所
５０ａ  …  料金所ゲート
５１  …  先行車
【図１】
2018083539.tif 000003
【図２】
2018083539.tif 000004
【図３】
2018083539.tif 000005
【図４】
2018083539.tif 000006
【図５】
2018083539.tif 000007
【図６】
2018083539.tif 000008
【図７】
2018083539.tif 000009
【図８】
2018083539.tif 000010
【図９】
2018083539.tif 000011